(57)【要約】【課題】  並列に接続されている蒸発圧力が異なる複数台の蒸発器を同時に運転し、温度の異なる複数室を同時に冷却することができるマルチサイクルの冷凍装置を提供することを目的とする。【解決手段】  圧縮機２と、凝縮器３と、第１膨張弁４および第２膨張弁５を介して互いに並列に接続される複数台の低温側蒸発器６および高温側蒸発器７とを順次冷媒回路８により接続して構成したマルチサイクル９の冷凍装置１において、圧縮機２として中間ポート２Ｃを備えた圧縮機２を用い、低温側蒸発器６の吸入側冷媒回路８Ａを圧縮機２の吸入ポート２Ａに接続するとともに、高温側蒸発器７の吸入側冷媒回路８Ｂを圧縮機２の中間ポート２Ｃに接続した。【選択図】      図１
2009079863.tif 000002
【特許請求の範囲】
【請求項１】
圧縮機と、凝縮器と、第１膨張弁および第２膨張弁を介して互いに並列に接続される複数台の低温側蒸発器および高温側蒸発器とを順次冷媒回路により接続して構成したマルチサイクルの冷凍装置において、
前記圧縮機として中間ポートを備えた圧縮機を用い、前記低温側蒸発器の吸入側冷媒回路を前記圧縮機の吸入ポートに接続するとともに、前記高温側蒸発器の吸入側冷媒回路を前記圧縮機の中間ポートに接続したことを特徴とする冷凍装置。
【請求項２】
前記凝縮器の出口側で分流され、第３膨張弁を経て減圧された液冷媒を蒸発させることにより前記低温側蒸発器に流通される液冷媒に過冷却を与える中間冷却器を備え、該中間冷却器を流通した前記分流冷媒を前記圧縮機の中間ポートに導くエコノマイザ回路を設けたことを特徴とする請求項１に記載の冷凍装置。
【請求項３】
前記圧縮機の中間ポートに接続された前記高温側蒸発器用の冷媒回路と、前記中間冷却器を備えた前記エコノマイザ回路とを共用化し、この共用回路に前記第３膨張弁、前記中間冷却器、および前記高温側蒸発器を順次配設したことを特徴とする請求項２に記載の冷凍装置。
【請求項４】
前記凝縮器の出口側から前記第３膨張弁および前記中間冷却器をバイパスして前記高温側蒸発器に冷媒を導く第４膨張弁を備えたバイパス回路を設けたことを特徴とする請求項３に記載の冷凍装置。
【請求項５】
前記低温側蒸発器へと冷媒を導く液冷媒回路の前記中間冷却器の出口側から前記高温側蒸発器に冷媒を導く第５膨張弁を備えた冷媒回路を設けたことを特徴とする請求項３に記載の冷凍装置。
【請求項６】
前記第２膨張弁および前記高温側蒸発器を備えた前記高温側蒸発器用の冷媒回路と、前記第３膨張弁および中間冷却器を備えた前記エコノマイザ回路とを互いに独立した並列回路とし、両回路を共に前記圧縮機の中間ポートに接続したことを特徴とする請求項２に記載の冷凍装置。
【請求項７】
前記高温側蒸発器用の冷媒回路を、前記中間冷却器の出口側において前記低温側蒸発器へと冷媒を導く液冷媒回路に接続したことを特徴とする請求項６に記載の冷凍装置。
【請求項８】
前記高温側蒸発器の出口側と前記圧縮機の中間ポートとを接続する吸入側冷媒回路に切替弁を介して前記圧縮機の吸入ポートに連通される低圧冷媒回路を接続し、前記高温側蒸発器の出口側を前記圧縮機の中間ポートまたは吸入ポートのいずれかに選択的に切り替え接続可能としたことを特徴とする請求項１ないし７のいずれかに記載の冷凍装置。
【請求項９】
前記低温側蒸発器および前記高温側蒸発器の入口側冷媒回路間および出口側冷媒回路間にそれぞれ切替弁により構成されるブリッジ回路を設け、低温側と高温側とを切り替え可能としたことを特徴とする請求項１ないし８のいずれかに記載の冷凍装置。
【発明の詳細な説明】
【技術分野】
【０００１】
本発明は、それぞれ膨張弁を介して互いに並列に接続される複数台の低温側蒸発器および高温側蒸発器を備え、温度が異なる複数室の冷却に用いられるマルチサイクルの冷凍装置に関するものである。
【背景技術】
【０００２】
冷凍車両や輸送用コンテナ等に適用される輸送用冷凍装置においては、冷蔵室と冷凍室等のように温度の異なる２室を同時に冷却しなければならないものがある。この場合、圧縮機と、凝縮器と、低温側膨張弁および高温側膨張弁を介して互いに並列に接続される複数台の低温側蒸発器および高温側蒸発器とを冷媒回路により接続して構成したマルチサイクルの冷凍装置が用いられる。
【０００３】
上記のようなマルチサイクルの冷凍装置では、圧縮機は１台で、並列に接続された２つの蒸発器に対して別々の膨張弁により異なる圧力に減圧された冷媒を流通させても、蒸発器の出口側が同じ圧縮機の同じ吸入ポートに接続されるため、２つの蒸発器の出口側圧力が同じ圧力になってしまう。このため、２つの蒸発器の蒸発圧力を独立して個別に制御することができず、各蒸発器により冷却される温度の異なる複数の室をそれぞれ安定した温度に制御ができなかった。
【０００４】
そこで、冷却温度が異なる複数の室、例えば、−１８℃に冷却される冷凍室と０℃に冷却される冷蔵室の冷却に供されるマルチサイクルの冷凍装置では、低温側蒸発器および高温側蒸発器をそれぞれ独立した蒸発圧力に制御し、互いに異なる温度で運転できるようにするため、低温側蒸発器および高温側蒸発器を所定時間間隔で交互に運転し、それぞれの室を上記の設定温度に制御する方法を採っている（例えば、特許文献１参照）。
【０００５】
【特許文献１】特開２００５−１８０７５１号公報（表１および段落００４２）
【発明の開示】
【発明が解決しようとする課題】
【０００６】
しかしながら、冷蔵室や冷凍室内の冷却温度を設定温度に対して高精度で制御する必要がある輸送用冷凍装置にあって、短い時間間隔であるとはいえ、複数台の蒸発器を交互に運転しなければならないため、プルダウン時間が長くなってしまうという問題がある。また、負荷変動が激しく両室共にサーモオン／オフを繰り返すような場合、交互運転では温度変動幅が大きくなってしまう可能性があり、こうした点から温度制御性について、改善すべき課題があった。
【０００７】
本発明は、このような事情に鑑みてなされたものであって、並列に接続されている蒸発圧力が異なる複数台の蒸発器を同時に運転し、温度の異なる複数室を同時に冷却することができるマルチサイクルの冷凍装置を提供することを目的とする。
【課題を解決するための手段】
【０００８】
上記課題を解決するために、本発明の冷凍装置は、以下の手段を採用する。
すなわち、本発明にかかる冷凍装置は、圧縮機と、凝縮器と、第１膨張弁および第２膨張弁を介して互いに並列に接続される複数台の低温側蒸発器および高温側蒸発器とを順次冷媒回路により接続して構成したマルチサイクルの冷凍装置において、前記圧縮機として中間ポートを備えた圧縮機を用い、前記低温側蒸発器の吸入側冷媒回路を前記圧縮機の吸入ポートに接続するとともに、前記高温側蒸発器の吸入側冷媒回路を前記圧縮機の中間ポートに接続したことを特徴とする。
【０００９】
本発明によれば、低温側蒸発器の吸入側冷媒回路を圧縮機の吸入ポートに接続するとともに、高温側蒸発器の吸入側冷媒回路を圧縮機の中間ポートに接続しているため、低温側蒸発器および高温側蒸発器をそれぞれ第１膨張弁および第２膨張弁により独立した蒸発圧力に個別に制御し、互いに異なる温度で同時運転することができる。従って、温度が異なる複数室の冷却に用いられるマルチサイクルの冷凍装置に適用することにより、その温度制御性を高め、低温側蒸発器および高温側蒸発器を交互運転するものに比べ、低温側および高温側を共に安定した温度でかつ高精度に温度制御することができる。
【００１０】
さらに、本発明の冷凍装置は、上記の冷凍装置において、前記凝縮器の出口側で分流され、第３膨張弁を経て減圧された液冷媒を蒸発させることにより前記低温側蒸発器に流通される液冷媒に過冷却を与える中間冷却器を備え、該中間冷却器を流通した前記分流冷媒を前記圧縮機の中間ポートに導くエコノマイザ回路を設けたことを特徴とする。
【００１１】
本発明によれば、エコノマイザ回路を機能させて低温側蒸発器をエコノマイザ運転することにより、その冷却能力を増大することができると同時に、低温側蒸発器および高温側蒸発器をそれぞれ独立した蒸発圧力に個別に制御し、互いに異なる温度で同時運転することができる。従って、エコノマイザ効果により冷却性能および成績係数（ＣＯＰ）の向上を図ることができるとともに、低温側および高温側を共に安定した温度でかつ高精度に温度制御することができる。
【００１２】
さらに、本発明の冷凍装置は、上記の冷凍装置において、前記圧縮機の中間ポートに接続された前記高温側蒸発器用の冷媒回路と、前記中間冷却器を備えた前記エコノマイザ回路とを共用化し、この共用回路に前記第３膨張弁、前記中間冷却器、および前記高温側蒸発器を順次配設したことを特徴とする。
【００１３】
本発明によれば、第３膨張弁により分流冷媒を減圧して中間冷却器を機能させ、低温側蒸発器をエコノマイザ運転することにより、低温側蒸発器の冷却能力を増大することができると同時に、第３膨張弁の開度調整により、高温側蒸発器の温度を制御し、高精度に温度制御することができる。従って、エコノマイザ効果により冷却性能および成績係数（ＣＯＰ）の向上を図ることができるとともに、低温側および高温側を共に安定した温度でかつ高精度に温度制御することができる。また、高温側蒸発器用冷媒回路とエコノマイザ回路とを共用化することにより、エコノマイザ回路を備えたマルチサイクルの冷媒回路を簡素に構成することができる。
【００１４】
さらに、本発明の冷凍装置は、上記の冷凍装置において、前記凝縮器の出口側から前記第３膨張弁および前記中間冷却器をバイパスして前記高温側蒸発器に冷媒を導く第４膨張弁を備えたバイパス回路を設けたことを特徴とする。
【００１５】
本発明によれば、エコノマイザ回路を使用しない場合や高温側蒸発器が能力不足に陥る可能性がある場合、第３膨張弁を閉じることによって、凝縮器の出口側からバイパス回路を介して液冷媒を高温側蒸発器に導入し、第４膨張弁を用いて高温側蒸発器における温度を制御することができる。これにより、高温側蒸発器用冷媒回路とエコノマイザ回路とを共用化した場合において発生が懸念される高温側蒸発器の能力不足等の問題を解消することができる。
【００１６】
さらに、本発明の冷凍装置は、上記の冷凍装置において、前記低温側蒸発器へと冷媒を導く液冷媒回路の前記中間冷却器の出口側から前記高温側蒸発器に冷媒を導く第５膨張弁を備えた冷媒回路を設けたことを特徴とする。
【００１７】
本発明によれば、エコノマイザ回路を使用しない場合時や高温側蒸発器が能力不足に陥る可能性がある場合、第３膨張弁を閉じることによって、中間冷却器の出口側の液冷媒回路から冷媒回路を介して液冷媒を高温側蒸発器に導入し、第５膨張弁を用いて高温側蒸発器における温度を制御することができる。これにより、高温側蒸発器用冷媒回路とエコノマイザ回路とを共用化した場合において発生が懸念される高温側蒸発器の能力不足等の問題を解消することができる。
【００１８】
さらに、本発明の冷凍装置は、上記の冷凍装置において、前記第２膨張弁および前記高温側蒸発器を備えた前記高温側蒸発器用の冷媒回路と、前記第３膨張弁および中間冷却器を備えた前記エコノマイザ回路とを互いに独立した並列回路とし、両回路を共に前記圧縮機の中間ポートに接続したことを特徴とする。
【００１９】
本発明によれば、高温側蒸発器用冷媒回路とエコノマイザ回路とを互いに独立した並列回路とし、両回路を共に圧縮機の中間ポートに接続しているため、低温側蒸発器をエコノマイザ運転しながら、その影響を受けずに高温側蒸発器を独立に温度制御することができる。従って、エコノマイザ効果を十分に得ながら、低温側蒸発器および高温側蒸発器をそれぞれ独立した蒸発圧力に個別に制御し、互いに異なる温度で同時運転して、低温側および高温側共に安定した温度でかつ高精度に温度制御することができる。
【００２０】
さらに、本発明の冷凍装置は、上記の冷凍装置において、前記高温側蒸発器用の冷媒回路を、前記中間冷却器の出口側において前記低温側蒸発器へと冷媒を導く液冷媒回路に接続したことを特徴とする。
【００２１】
本発明によれば、高温側蒸発器用冷媒回路を中間冷却器の出口側において低温側蒸発器へと冷媒を導く液冷媒回路に接続しているため、低温側蒸発器のエコノマイザ運転時に中間冷却器で過冷却された冷媒を高温側蒸発器に導入することができる。この場合、高温側蒸発器においても冷却性能を向上させることができる。
【００２２】
さらに、本発明の冷凍装置は、上述のいずれかの冷凍装置において、前記高温側蒸発器の出口側と前記圧縮機の中間ポートとを接続する吸入側冷媒回路に切替弁を介して前記圧縮機の吸入ポートに連通される低圧冷媒回路を接続し、前記高温側蒸発器の出口側を前記圧縮機の中間ポートまたは吸入ポートのいずれかに選択的に切り替え接続可能としたことを特徴とする。
【００２３】
本発明によれば、切替弁を介して高温側蒸発器の出口側を圧縮機の吸入ポート側に連通するように切り替え接続することにより、高温側蒸発器を低温側蒸発器と同様の蒸発圧力に制御し、同じ温度で同時運転することが可能となる。従って、複数室を異なる温度に冷却する場合に限らず、複数室を同じ温度に冷却する場合にも適用でき、マルチサイクルの冷凍装置の使用範囲を拡大することができる。
【００２４】
さらに、本発明の冷凍装置は、上述のいずれかの冷凍装置において、前記低温側蒸発器および前記高温側蒸発器の入口側冷媒回路間および出口側冷媒回路間にそれぞれ切替弁により構成されるブリッジ回路を設け、低温側と高温側とを切り替え可能としたことを特徴とする。
【００２５】
本発明によれば、低温側蒸発器および高温側蒸発器の入口側と出口側とに設けたブリッジ回路を切り替えることにより、低温側蒸発器を高温側蒸発器として、また高温側蒸発器を低温側蒸発器としてそれぞれ切り替え使用することができる。従って、被冷却物の都合等により低温側室と高温側室とを切り替えて使用したい場合等にも、それに対応することが可能であり、マルチサイクルの冷凍装置の使用範囲を更に拡大することができる。
【発明の効果】
【００２６】
本発明によると、高温側蒸発器の吸入側冷媒回路を圧縮機の中間ポートに接続した構成の採用により、低温側蒸発器および高温側蒸発器をそれぞれ独立した蒸発圧力に個別に制御し、互いに異なる温度で同時運転することが可能となるため、温度が異なる複数室の冷却に用いられるマルチサイクルの冷凍装置に適用することにより、その温度制御性を高めることができ、低温側蒸発器および高温側蒸発器を交互運転するものに比べ、低温側および高温側共に安定した温度でかつ高精度に温度制御することができる。
【発明を実施するための最良の形態】
【００２７】
以下に、本発明にかかる実施形態について、図面を参照して説明する。
［第１実施形態］
以下、本発明の第１実施形態について、図１を用いて説明する。
図１には、本発明の第１実施形態にかかるマルチサイクルの冷凍装置１の冷凍サイクル図が示されている。本実施形態にかかる冷凍装置１は、圧縮機２と、凝縮器３と、第１膨張弁（膨張弁１）４および第２膨張弁（膨張弁２）５を介して互いに並列に接続される複数台の低温側蒸発器６および高温側蒸発器７とを冷媒回路８により接続して構成したマルチサイクル９を備えている。
【００２８】
圧縮機２には、低圧の冷媒ガスを吸入する吸入ポート２Ａと、吸入した低圧冷媒ガスを高温高圧状態に圧縮し、それを圧縮機２から冷媒回路８側に吐出する吐出ポート２Ｂの他に、中間圧の冷媒ガスを圧縮途中の冷媒ガス中に吸い込む中間ポート２Ｃを備えた構成の圧縮機２が用いられる。このような中間ポート２Ｃを備えた圧縮機２は、特に新しいものではなく、エコノマイザ用のガスインジェクションポートを備えた圧縮機として広範に使用されている公知のものであってよい。
【００２９】
本実施形態の冷凍装置１においては、上記構成の圧縮機２に対して、低温側蒸発器６の出口側に接続されている吸入側冷媒回路８Ａを圧縮機２の吸入ポート２Ａに接続するとともに、高温側蒸発器７の出口側に接続されている吸入側冷媒回路８Ｂを圧縮機２の中間ポート２Ｃに接続することによって、マルチサイクル９を構成している。
【００３０】
以上説明の構成により、本実施形態によれば、以下の作用効果を奏する。
圧縮機２で圧縮された高温高圧の冷媒ガスは、凝縮器３に送られ、凝縮液化される。この高圧液冷媒は、凝縮器３の出口側で低温側蒸発器６へと冷媒を導く冷媒回路８Ｃと高温側蒸発器７へと冷媒を導く冷媒回路８Ｄに分流され、両回路に並行して流通される。冷媒回路８Ｃに流通された高圧液冷媒は、第１膨張弁（膨張弁１）４により低圧状態に減圧された後、低温側蒸発器６に流入し、低温側蒸発器６が設置されている冷凍室内の空気と熱交換して蒸発ガス化され、吸入側冷媒回路８Ａを介して圧縮機２の吸入ポート２Ａに吸入される。これによって、低温側蒸発器６が設置されている冷凍室は、例えば、−１８℃に冷却される。
【００３１】
一方、冷媒回路８Ｄに流通された高圧液冷媒は、第２膨張弁（膨張弁２）５により第１膨張弁４よりも高い中間圧に減圧された後、高温側蒸発器７に流入し、高温側蒸発器７が設置されている冷蔵室内の空気と熱交換して蒸発ガス化され、吸入側冷媒回路８Ｂを介して圧縮機２の中間ポート２Ｃに吸入される。これによって、高温側蒸発器７が設置されている冷蔵室は、例えば、０℃に冷却される。
【００３２】
本実施形態では、上記したように、低温側蒸発器６の出口に接続されている吸入側冷媒回路８Ａと、高温側蒸発器７の出口に接続されている吸入側冷媒回路８Ｂとを、圧縮機２の異なる圧力の吸い込みポート、すなわち吸入ポート２Ａと中間ポート２Ｃとに接続しているため、低温側蒸発器６の蒸発圧力と高温側蒸発器７の蒸発圧力とをそれぞれ第１膨張弁４と第２膨張弁５とにより異なる圧力で個別に制御することが可能となる。つまり、低温側蒸発器６の蒸発圧力を第１膨張弁（膨張弁１）４により冷凍領域の温度が得られる低圧圧力に制御し、高温側蒸発器７の蒸発圧力を第２膨張弁（膨張弁２）５により冷蔵領域の温度が得られる中間圧圧力に制御して同時運転することができる。
【００３３】
そして、第１膨張弁（膨張弁１）４および第２膨張弁（膨張弁２）５の開度を調節することにより、低温側蒸発器６および高温側蒸発器７での蒸発温度を制御し、低温側蒸発器６が設置された冷凍室および高温側蒸発器７が設置された冷蔵室の温度をそれぞれの設定温度に対して高精度に制御することができる。
従って、冷凍室と冷蔵室等にように温度が異なる複数の室を同時に冷却しなければならないマルチサイクルの冷凍装置に適用して、その温度制御性を高めることができるとともに、低温側蒸発器および高温側蒸発器を交互に運転するものに比べ、低温側および高温側を共に安定した温度でかつ高精度に温度制御することができる。
【００３４】
［第２実施形態］
次に、本発明の第２実施形態について、図２を用いて説明する。
本実施形態は、上記した第１実施形態に対して、エコノマイザ回路１３を備えたマルチサイクルとしている点が異なっている。その他の点は、第１実施形態と同様であるので説明は省略する。図２には、本実施形態にかかる冷凍装置の冷凍サイクル図（Ａ）とその動作状態説明図（Ｂ）が示されている。
本実施形態では、凝縮器３の出口側から高温側蒸発器７へと冷媒を導く冷媒回路８Ｄに設けた第３膨張弁（膨張弁２）１１の下流側と、低温側蒸発器６へと冷媒を導く冷媒回路８Ｃとの間に、両冷媒回路内の冷媒／冷媒同士を熱交換する二重管熱交換器等により構成されるエコノマイザ用の中間冷却器１２を設けている。
【００３５】
上記中間冷却器１２は、凝縮器３の出口側で分流された液冷媒を、第３膨張弁（膨張弁２）１１により減圧し、その冷媒の蒸発潜熱により冷媒回路８Ｃ内を流通する液冷媒に過冷却を付与するものであり、中間冷却器１２で冷媒回路８Ｃ内の液冷媒に過冷却を付与して蒸発した冷媒を圧縮機２の中間ポート２Ｃに導くことによりエコノマイザ回路１３を構成している。本実施形態では、高温側蒸発器７用の冷媒回路８Ｄとエコノマイザ回路１３とを共用化して１つの回路とするとともに、高温側蒸発器７用の膨張弁と中間冷却器１２用の膨張弁とを共用化して１つの第３膨張弁（膨張弁２）１１としている。
【００３６】
また、本実施形態においては、高温側蒸発器７の出口側と圧縮機２の中間ポート２Ｃとを接続する吸入側冷媒回路８Ｂに電磁弁（ＳＶ２）１４を設置するとともに、この電磁弁（ＳＶ２）１４の入口側と吸入側冷媒回路８Ｂとを電磁弁（ＳＶ１）１５を備えた低圧冷媒回路１６により接続し、電磁弁（ＳＶ２）１４および電磁弁（ＳＶ１）１５のオン／オフ切り替えにより高温側蒸発器７の出口側を圧縮機２の中間ポート２Ｃまたは吸入ポート２Ａのいずれかに選択的に切り替え接続可能としている。
【００３７】
以上説明の構成により、本実施形態によれば、以下の作用効果を奏する。
図２（Ｂ）に示されるように、低温側蒸発器６を設置した冷凍室側の設定温度（ＳＰ）を−１８℃、高温側蒸発器７を設置した冷蔵室側の設定温度（ＳＰ）を０℃としている。まず、プルダウン運転時、電磁弁（ＳＶ１）１５をオン（開）、電磁弁（ＳＶ２）１４をオフ（閉）、第１膨張弁（膨張弁１）４をオン、第３膨張弁（膨張弁２）１１をオン、低温側蒸発器６のファン（図示省略）をオン、高温側蒸発器７のファン（図示省略）をオンとして運転を開始する。この場合、低温側蒸発器６および高温側蒸発器７の出口側は、共に圧縮機２の吸入ポート２Ａに連通接続され、同じ蒸発圧力（低圧圧力）となり、低温側（冷凍室側）および高温側（冷蔵室側）は、共に通常サイクルにより運転される。
【００３８】
低温側蒸発器６と高温側蒸発器７を共に通常サイクルとしてプルダウン運転すると、設定温度（ＳＰ）が高い冷蔵室側の方が先に設定温度（０℃）に到達する。この時、電磁弁（ＳＶ１）１５がオフ（閉）、電磁弁（ＳＶ２）１４がオン（開）、高温側蒸発器７のファン（図示省略）がオフとされるため、高温側（冷蔵室側）の冷却運転は停止される（ただし、冷媒は流れる）。この場合、第３膨張弁（膨張弁２）１１オン、電磁弁（ＳＶ２）１４がオン（開）とされてエコノマイザ回路１３が機能するため、低温側蒸発器６はエコノマイザ運転により、高性能（高能力）、高効率（高ＣＯＰ）で運転される。
【００３９】
冷却運転の停止により冷蔵室の温度が上昇し、設定温度（０℃）＋１℃になると、高温側蒸発器７のファン（図示省略）がオンされ、電磁弁（ＳＶ２）１４が既にオン（開）されているため、高温側蒸発器７の出口側が圧縮機２の中間ポート２Ｃに連通された状態で高温側（冷蔵室側）は通常サイクルにより運転が再開される。この場合、低温側蒸発器６および高温側蒸発器７は、それぞれ第１膨張弁（膨張弁１）４および第３側膨張弁（膨張弁２）１１により独立した蒸発圧力に個別に制御される。これにより、低温側蒸発器６と高温側蒸発器７を、互いに異なる温度で同時運転することができる。
【００４０】
上記した低温側蒸発器６および高温側蒸発器７の同時運転時、低温側蒸発器６はエコノマイザ運転とされ、中間冷却器１０において第３側膨張弁（膨張弁２）１１により減圧された冷媒の一部が蒸発されるため、高温側蒸発器７が能力不足になる可能性がある。この場合、第３膨張弁（膨張弁２）１１の開度を大きくし、高温側蒸発器７への冷媒循環量を増加することにより、高温側蒸発器７の冷却能力が増大されるように制御する。以上によって、高温側（冷蔵室側）を設定温度（０℃）＋１℃の範囲で高精度に温度制御することができる。
【００４１】
また、プルダウン運転により、低温側（冷凍室側）が設定温度（−１８℃）に到達すると、電磁弁（ＳＶ１）１５がオン（開）、電磁弁（ＳＶ２）１４がオフ（閉）、第１膨張弁（膨張弁１）４がオフ、低温側蒸発器６のファン（図示省略）がオフとされ、低温側（冷凍室側）の冷却運転は停止される。この場合、第３膨張弁（膨張弁２）１１がオン、電磁弁（ＳＶ２）１４がオフ（閉）とされるため、高温側蒸発器７は通常サイクルで継続運転される。
【００４２】
冷却運転の停止により冷凍室の温度が上昇し、設定温度（−１８℃）＋１℃になると、電磁弁（ＳＶ１）１５がオフ（閉）、電磁弁（ＳＶ２）１４がオン（開）、第１膨張弁（膨張弁１）４がオン、低温側蒸発器６のファン（図示省略）がオンとされ、低温側蒸発器６はエコノマイザ運転により運転が再開される。この場合、高温側蒸発器７の出口側は圧縮機２の中間ポート２Ｃに連通され、高温側蒸発器７は通常サイクルによって運転されるため、低温側蒸発器６および高温側蒸発器７は、それぞれ第１膨張弁（膨張弁１）４および第３膨張弁（膨張弁２）１１により独立した蒸発圧力に個別に制御される。これにより、低温側蒸発器６と高温側蒸発器７を、互いに異なる温度で同時運転することができる。
【００４３】
上記した低温側蒸発器６および高温側蒸発器７の同時運転時、低温側蒸発器６が能力不足になる可能性がある。この場合、第３膨張弁（膨張弁２）１１の開度を小さくし、中間冷却器１２および高温側蒸発器７への冷媒循環量を絞ることによって、低温側蒸発器６の冷却能力が増大されるように制御する。以上により、低温側（冷凍室側）を設定温度（−１８℃）＋１℃の範囲で高精度に温度制御することができる。
【００４４】
従って、本実施形態によっても、上記第１実施形態と同様に、低温側蒸発器６および高温側蒸発器７をそれぞれ第１膨張弁４（膨張弁１）および第３膨張弁１１（膨張弁２）により独立した蒸発圧力に個別に制御し、互いに異なる温度で同時運転することができるため、低温側（冷凍室側）および高温側（冷蔵室側）を共に安定した温度でかつ高精度に温度制御することができる。また、低温側蒸発器６による冷却運転をエコノマイザ運転とすることができるため、その効果により高性能化、高ＣＯＰ化を図ることができる。また、高温側蒸発器７用の冷媒回路８Ｄとエコノマイザ回路１３、ならびに第３膨張弁（膨張弁２）１１をそれぞれ共用化しているため、エコノマイザ回路１３を備えたマルチサイクル９を簡素にかつ低コストで構成することができる。
【００４５】
さらに、電磁弁（ＳＶ２）１４および電磁弁（ＳＶ１）１５のオン／オフ切り替えにより高温側蒸発器７の出口側を圧縮機２の中間ポート２Ｃまたは吸入ポート２Ａのいずれかに選択的に切り替え接続可能としているため、最大能力が必要なプルダウン時、高温側蒸発器７の出口側を圧縮機２の吸入ポート２Ａに接続し、高温側蒸発器７を低温側蒸発器６と同じ蒸発圧力にして運転することができる。これにより、プルダウン時、高温側（冷蔵室側）を急速冷却し、プルダウン時間を短縮することができる。また、この機能を利用することにより、複数の室を異なる温度に冷却する冷凍装置としての使用に限らず、複数の室を同じ温度に冷却する冷凍装置としても使用できるため、冷凍装置の使用範囲を拡大することができる。
【００４６】
［第３実施形態］
次に、本発明の第３実施形態について、図３を用いて説明する。
本実施形態は、上記した第２実施形態に対して、第３膨張弁（膨張弁２）１１および中間冷却器１２をバイパスするバイパス回路２２を設けている点が異なっている。その他の点は、第１および第２実施形態と同様であるので説明は省略する。図３には、本実施形態にかかる冷凍装置の冷凍サイクル図（Ａ）とその動作状態説明図（Ｂ）が示されている。
本実施形態では、エコノマイザ回路１３の第３膨張弁（膨張弁２）１１および中間冷却器１２に対して、第４膨張弁（膨張弁３）２１を備えたバイパス回路２２を設けた構成としている。
【００４７】
上記のように、第４膨張弁（膨張弁３）２１を備えたバイパス回路２２を設けることにより、図３（Ｂ）に示すように、プルダウン運転時、電磁弁（ＳＶ１）１５をオン（開）、電磁弁（ＳＶ２）１４をオフ（閉）、第１膨張弁（膨張弁１）４をオン、第３膨張弁（膨張弁２）１１をオフ、第４膨張弁（膨張弁３）２１をオン、低温側蒸発器６のファン（図示省略）をオン、高温側蒸発器７のファン（図示省略）をオンとして運転を開始することができる。この場合、低温側蒸発器６と高温側蒸発器７の出口側は、共に圧縮機２の吸入ポート２Ａに接続され、同じ蒸発圧力（低圧圧力）となり、低温側（冷凍室側）および高温側（冷蔵室側）は、共に通常サイクルにより運転される。また、第３膨張弁（膨張弁２）１１がオフとされ、高温側蒸発器７には、第４膨張弁（膨張弁３）２１を介して個別に冷媒が供給されるため、高温側蒸発器７の冷却性能を改善することができる。
【００４８】
プルダウン運転によって、高温側（冷蔵室側）が設定温度（０℃）に到達すると、電磁弁（ＳＶ１）１５がオフ（閉）、電磁弁（ＳＶ２）１４がオン（開）、第３膨張弁（膨張弁２）１１がオン、第４膨張弁（膨張弁３）２１がオフ、高温側蒸発器７のファン（図示省略）がオフとされるため、高温側の冷却運転は停止される（ただし、冷媒は流れる）。この場合、第３膨張弁（膨張弁２）１１がオン、電磁弁（ＳＶ２）１４がオン（開）とされてエコノマイザ回路１３が機能するため、低温側蒸発器６はエコノマイザ運転により、高性能（高能力）、高効率（高ＣＯＰ）で運転される。
【００４９】
冷却運転の停止により冷蔵室の温度が上昇し、設定温度（０℃）＋１℃になると、上記の停止状態から高温側蒸発器７のファン（図示省略）がオンされることにより高温側（冷蔵室側）は通常サイクルにより運転が再開される。この場合、低温側蒸発器６はエコノマイザ運転が継続され、高温側蒸発器７には、中間冷却器１２を経た冷媒がエコノマイザ回路１３を介して供給される。従って、低温側蒸発器６および高温側蒸発器７を、それぞれ第１膨張弁（膨張弁１）４および第３側膨張弁（膨張弁２）１１により独立した蒸発圧力に個別に制御し、互いに異なる温度で同時運転することができる。
【００５０】
上記の高温側冷却運転において能力不足が生じた場合、第３側膨張弁（膨張弁２）１１がオフ、第４膨張弁（膨張弁３）２１がオンとされ、高温側の冷却能力が増大されるとともに、低温側蒸発器６のエコノマイザ運転が解除され、低温側は通常サイクルとされる。以上によって、高温側（冷蔵室側）を設定温度（０℃）＋１℃の範囲で高精度に温度制御することができる。この際、電磁弁（ＳＶ１）１５および電磁弁（ＳＶ２）１４は、いずれがオン（開）またはオフ（閉）であってもよいが、まず電磁弁（ＳＶ１）１５をオフ（閉）、電磁弁（ＳＶ２）１４をオン（開）とし、更に高温側冷却運転の能力不足が改善しない場合、電磁弁（ＳＶ１）１５をオン（開）、電磁弁（ＳＶ２）１４をオフ（閉）に切り替えることが考えられる。
【００５１】
一方、プルダウン運転により、低温側（冷凍室側）が設定温度（−１８℃）に到達すると、電磁弁（ＳＶ１）１５がオン（開）、電磁弁（ＳＶ２）１４がオフ（閉）、第１膨張弁（膨張弁１）４がオフ、第３側膨張弁（膨張弁２）１１がオフ、低温側蒸発器６のファン（図示省略）がオフとされ、低温側（冷凍室側）の冷却運転は停止される。この場合、第４膨張弁（膨張弁３）２１がオン、電磁弁（ＳＶ１）１５がオン（開）とされるため、高温側蒸発器７は通常サイクルで継続運転される。
【００５２】
冷却運転の停止により冷凍室の温度が上昇し、設定温度（−１８℃）＋１℃になると、電磁弁（ＳＶ１）１５がオフ（閉）、電磁弁（ＳＶ２）１４がオン（開）、第１膨張弁（膨張弁１）４がオン、第３側膨張弁（膨張弁２）１１がオン、第４膨張弁（膨張弁３）２１がオフ、低温側蒸発器６のファン（図示省略）がオンとされ、低温側蒸発器６はエコノマイザ運転により運転が再開される。この場合、高温側蒸発器７の出口側は圧縮機２の中間ポート２Ｃに連通され、高温側蒸発器７は通常サイクルによって運転されるため、低温側蒸発器６および高温側蒸発器７は、それぞれ第１膨張弁（膨張弁１）４および第３膨張弁（膨張弁２）１１により独立した蒸発圧力に個別に制御される。これにより、低温側蒸発器６と高温側蒸発器７を、互いに異なる温度で同時運転することができる。
【００５３】
上記の低温側冷却運転において能力不足が生じた場合、第３側膨張弁（膨張弁２）１１の開度を小さくし、中間冷却器１２および高温側蒸発器７への冷媒循環量を絞ることによって、低温側蒸発器６の冷却能力が増大されるように制御する。以上により、低温側（冷凍室側）を設定温度（−１８℃）＋１℃の範囲で高精度に温度制御することができる。
【００５４】
しかして、本実施形態によっても、上記した第１および第２実施形態と同様に、低温側蒸発器６および高温側蒸発器７を、それぞれ第１膨張弁４（膨張弁１）および第３膨張弁１１（膨張弁２）により独立した蒸発圧力に個別に制御し、互いに異なる温度で同時運転することができるため、低温側（冷凍室側）および高温側（冷蔵室側）を共に安定した温度でかつ高精度に温度制御することができる。また、低温側蒸発器６による低温側の冷却運転をエコノマイザ運転とすることができるため、その効果によって高性能化、高ＣＯＰ化を図ることができる。また、高温側のプルダウン運転を含む冷却運転の一部を第４膨張弁（膨張弁３）２１を備えたバイパス回路２２を用い、エコノマイザ回路１３の影響を受けずに実施できるため、その際の冷却性能および温度制御性を改善することができる。
【００５５】
［第４実施形態］
次に、本発明の第４実施形態について、図４を用いて説明する。
本実施形態は、上記した第２および第３実施形態に対して、第５膨張弁（膨張弁３）３１を備えた冷媒回路３２を設けている点が異なる。その他の点は、第１ないし第３実施形態と同様であるので説明は省略する。図４には、本実施形態にかかる冷凍装置の冷凍サイクル図（Ａ）とその動作状態説明図（Ｂ）が示されている。
本実施形態では、上記第３実施形態のバイパス回路２２に代え、中間冷却器１２の出口側液冷媒回路８Ｃから高温側蒸発器７に冷媒を導く第５膨張弁（膨張弁３）３１を備えた冷媒回路３２を設けた構成としている。
【００５６】
しかして、本実施形態によると、図４（Ｂ）に示すように、第５膨張弁（膨張弁３）３１を備えた冷媒回路３２が上記した第３実施形態の第４膨張弁（膨張弁３）２１を備えたバイパス回路２２と同様の動作をする。従って、本実施形態によっても、上記第３実施形態と同様の作用効果を得ることができる。
【００５７】
［第５実施形態］
次に、本発明の第５実施形態について、図５を用いて説明する。
本実施形態は、上記した第１ないし第４実施形態に対して、高温側蒸発器７用の冷媒回路８Ｄとエコノマイザ回路１３とを互いに独立した並列回路としている点が異なる。その他の点は、上記第１ないし第４実施形態と同様であるので説明は省略する。図５には、本実施形態にかかる冷凍装置の冷凍サイクル図（Ａ）とその動作状態説明図（Ｂ）が示されている。
【００５８】
本実施形態では、凝縮器３の出口側において分流された冷媒を第２膨張弁（膨張弁３）５および高温側蒸発器７を経て圧縮機２の中間ポート２Ｃに導く高温側蒸発器７用の冷媒回路８Ｄと、凝縮器３の出口側において分流された冷媒を第３膨張弁（膨張弁２）１１および中間冷却器１２を経て圧縮機２の中間ポート２Ｃに導くエコノマイザ回路１３とを互いに独立した並列回路により構成している。なお、冷媒回路８Ｄにおける高温側蒸発器７の出口側は、上記第２ないし第４実施形態と同様に、電磁弁（ＳＶ２）１４および電磁弁（ＳＶ１）１５を介して圧縮機２の中間ポート２Ｃおよび吸入ポート２Ａのいずれかに選択的に切り替え接続可能とされている。
【００５９】
本実施形態においては、図５（Ｂ）に示されるように、プルダウン運転時、電磁弁（ＳＶ１）１５をオン（開）、電磁弁（ＳＶ２）１４をオフ（閉）、第１膨張弁（膨張弁１）４をオン、第３膨張弁（膨張弁２）１１をオフ、第２膨張弁（膨張弁３）５をオン、低温側蒸発器６のファン（図示省略）をオン、高温側蒸発器７のファン（図示省略）をオンとして運転を開始することができる。この場合、低温側蒸発器６および高温側蒸発器７の出口側は、共に圧縮機２の吸入ポート２Ａに接続され、同じ蒸発圧力（低圧圧力）となり、低温側（冷凍室側）および高温側（冷蔵室側）は、共に通常サイクルにより運転される。
【００６０】
プルダウン運転によって、高温側（冷蔵室側）が設定温度（０℃）に到達すると、電磁弁（ＳＶ１）１５がオフ（閉）、第３膨張弁（膨張弁２）１１がオン、第２膨張弁（膨張弁３）５がオフ、高温側蒸発器７のファン（図示省略）がオフとされるため、高温側の冷却運転は停止される。この場合、第３膨張弁（膨張弁２）１１がオンとされてエコノマイザ回路１３が機能するため、低温側蒸発器６はエコノマイザ運転により、高性能（高能力）、高効率（高ＣＯＰ）で運転される。
【００６１】
冷却運転の停止により冷蔵室の温度が上昇し、設定温度（０℃）＋１℃になると、上記の停止状態から電磁弁（ＳＶ２）１４がオン（開）、第２膨張弁（膨張弁３）５がオン、高温側蒸発器７のファン（図示省略）がオンとされることにより高温側（冷蔵室側）は通常サイクルにより運転が再開される。この場合、低温側蒸発器６はエコノマイザ運転が継続され、高温側蒸発器７には、冷媒回路８Ｄ、第２膨張弁（膨張弁３）５を介してエコノマイザ回路１３とは独立に並行して冷媒が供給される。従って、高温側蒸発器７をエコノマイザ回路１３の影響を受けずに個別に温度制御することができる。また、低温側蒸発器６および高温側蒸発器７を、それぞれ第１膨張弁（膨張弁１）４および第２側膨張弁（膨張弁３）５により独立した蒸発圧力に個別に制御し、互いに異なる温度で同時運転することができる。
【００６２】
上記の高温側冷却運転において能力不足が生じた場合、第３側膨張弁（膨張弁２）１１がオフとされ、冷媒回路８Ｄへの冷媒循環量が増加されるため、高温側蒸発器７の冷却能力が増大されるとともに、低温側蒸発器６のエコノマイザ運転が解除されるため、低温側は通常サイクルとされる。以上によって、高温側（冷蔵室側）を設定温度（０℃）＋１℃の範囲で高精度に温度制御することができる。この際、電磁弁（ＳＶ１）１５および電磁弁（ＳＶ２）１４は、何れがオン（開）またはオフ（閉）であってもよいが、まず電磁弁（ＳＶ１）１５をオフ（閉）、電磁弁（ＳＶ２）１４をオン（開）とし、更に高温側冷却運転の能力不足が改善しない場合、電磁弁（ＳＶ１）１５をオン（開）、電磁弁（ＳＶ２）１４をオフ（閉）に切り替えることが考えられる。
【００６３】
一方、プルダウン運転により、低温側（冷凍室側）が設定温度（−１８℃）に到達すると、電磁弁（ＳＶ１）１５がオン（開）、電磁弁（ＳＶ２）１４がオフ（閉）、第１膨張弁（膨張弁１）４がオフ、第３側膨張弁（膨張弁２）１１がオフ、低温側蒸発器６のファン（図示省略）がオフとされ、低温側（冷凍室側）の冷却運転は停止される。この場合、第２膨張弁（膨張弁３）５がオン、電磁弁（ＳＶ１）１５がオン（開）とされるため、高温側蒸発器７は通常サイクルで継続運転される。
【００６４】
冷却運転の停止により冷凍室の温度が上昇し、設定温度（−１８℃）＋１℃になると、電磁弁（ＳＶ１）１５がオフ（閉）、電磁弁（ＳＶ２）１４がオン（開）、第１膨張弁（膨張弁１）４がオン、第３側膨張弁（膨張弁２）１１がオン、第２膨張弁（膨張弁３）５がオン、低温側蒸発器６のファン（図示省略）がオンとされ、低温側蒸発器６はエコノマイザ運転により運転が再開される。この場合、高温側蒸発器７の出口側は圧縮機２の中間ポート２Ｃに連通され、高温側蒸発器７は通常サイクルによって運転されるため、低温側蒸発器６と高温側蒸発器７は、それぞれ第１膨張弁（膨張弁１）４および第３膨張弁（膨張弁２）１１により独立した蒸発圧力に個別に制御される。これにより、低温側蒸発器６と高温側蒸発器７を、互いに異なる温度で同時運転することができる。また、高温側蒸発器７には、冷媒回路８Ｄ、第２膨張弁（膨張弁３）５を介してエコノマイザ回路１３とは独立に並行して冷媒が供給されるため、エコノマイザ回路１３の影響を受けずに個別に温度制御することができる。
【００６５】
上記の低温側冷却運転において能力不足が生じた場合、第２側膨張弁（膨張弁３）５がオフ（閉）、高温側蒸発器７のファン（図示省略）がオフとされ、中間冷却器１２および低温側蒸発器６への冷媒循環量を増加することにより、低温側蒸発器６の冷却能力が増大されように制御する。以上によって、低温側（冷凍室側）を設定温度（−１８℃）＋１℃の範囲で高精度に温度制御することができる。
【００６６】
しかして、本実施形態によっても、上記第１ないし第４実施形態と同様、低温側蒸発器６および高温側蒸発器７をそれぞれ第１膨張弁（膨張弁１）４および第２膨張弁（膨張弁３）により独立した蒸発圧力に個別に制御し、互いに異なる温度で同時運転することができるため、低温側（冷凍室側）および高温側（冷蔵室側）を共に安定した温度でかつ高精度に温度制御することができる。また、低温側蒸発器６による冷却運転をエコノマイザ運転とすることができるため、その効果により高性能化、高ＣＯＰ化を図ることができる。また、高温側蒸発器７には、冷媒回路８Ｄ、第２膨張弁（膨張弁３）５を介して冷媒を供給し、エコノマイザ回路１３の影響を受けずに個別に温度制御することができるため、高温側蒸発器７の冷却性能および温度制御性を改善することができる。
【００６７】
なお、上記第５実施形態の変形例として、高温側蒸発器７に冷媒を導く高温側蒸発器７用の冷媒回路８Ｄを、中間冷却器１２の出口側において冷媒回路８Ｃに接続した構成とすることができる。このような構成とすることにより、低温側蒸発器６のエコノマイザ運転時、中間冷却器１２で過冷却された冷媒を高温側蒸発器７に供給することができる。これによって、通常サイクルで運転されている高温側蒸発器７の冷却性能を向上させることができる。
【００６８】
［第６実施形態］
次に、本発明の第６実施形態について、図６を用いて説明する。
本実施形態は、上記した第１ないし第５実施形態に対して、２つのブリッジ回路を設けた構成としている点が異なる。その他の点については、第１ないし第５実施形態と同様であるので説明は省略する。図６には、本実施形態にかかる冷凍装置の冷凍サイクル図が示されている。
本実施形態では、低温側蒸発器６および高温側蒸発器７の入口側および出口側にそれぞれ４個の電磁弁４１Ａないし４１Ｃにより構成されるブリッジ回路４２Ａ，４２Ｂを設けた構成としている。
【００６９】
上記のように、ブリッジ回路４２Ａ，４２Ｂを設けた構成とし、その電磁弁４１Ａ，４１Ｂをオン（開）、電磁弁４１Ｃ，４１Ｄをオフ（閉）とすることにより、低温側蒸発器６を低温側（冷凍室側）、高温側蒸発器７を高温側（冷蔵室側）として使用することができるほか、ブリッジ回路４２Ａ，４２Ｂを切り替え、電磁弁４１Ａ，４１Ｂをオフ、電磁弁４１Ｃ，４１Ｄをオンとすることにより、低温側蒸発器６を高温側（冷蔵室側）、高温側蒸発器７を低温側（冷凍室側）として使用することが可能となる。このため、例えば、被冷却物の都合等により低温側室と高温側室とを切り替えて使用したい場合等にも、それに対応することが可能となる。従って、マルチサイクルの冷凍装置の使用範囲を更に拡大することができる。
【００７０】
なお、本発明は、上記実施形態にかかる発明に限定されるものではなく、その要旨を逸脱しない範囲において、適宜変形が可能である。例えば、圧縮機２としては、圧縮室中に中間ポートを設けた構成の圧縮機を用いてもよいが、中間ポートを備えた２段圧縮機を用いてもよい。また、上記第２ないし第６実施形態では、高温側蒸発器７の出口側を２つの電磁弁１４，１５を用いて圧縮機２の中間ポート２Ｃと吸入ポート２Ａとの選択的に切り替え接続可能としているが、この電磁弁１４，１５は１個の３方切替弁により代替することができる。さらに、本発明の冷凍装置は、輸送用冷凍装置に限らず、定置式等他用途の冷凍装置にも広く適用できることは云うまでもない。
【図面の簡単な説明】
【００７１】
【図１】本発明の第１実施形態にかかる冷凍装置の冷凍サイクル図である。
【図２】本発明の第２実施形態にかかる冷凍装置の冷凍サイクル図（Ａ）とその動作状態説明図（Ｂ）である。
【図３】本発明の第３実施形態にかかる冷凍装置の冷凍サイクル図（Ａ）とその動作状態説明図（Ｂ）である。
【図４】本発明の第４実施形態にかかる冷凍装置の冷凍サイクル図（Ａ）とその動作状態説明図（Ｂ）である。
【図５】本発明の第５実施形態にかかる冷凍装置の冷凍サイクル図（Ａ）とその動作状態説明図（Ｂ）である。
【図６】本発明の第６実施形態にかかる冷凍装置の冷凍サイクル図である。
【符号の説明】
【００７２】
１  冷凍装置
２  圧縮機
２Ａ  吸入ポート
２Ｃ  中間ポート
３  凝縮器
４  第１膨張弁（膨張弁１）
５  第２膨張弁（膨張弁２）
６  低温側蒸発器
７  高温側蒸発器
８，８Ａ，８Ｂ，８Ｃ，８Ｄ  冷媒回路
９  マルチサイクル
１１  第３膨張弁（膨張弁２）
１２  中間冷却器
１３  エコノマイザ回路
１４  電磁弁（ＳＶ２）（切替弁）
１５  電磁弁（ＳＶ１）（切替弁）
１６  低圧冷媒回路
２１  第４膨張弁（膨張弁３）
２２  バイパス回路
３１  第５膨張弁（膨張弁３）
３２  冷媒回路
４１Ａ，４１Ｂ，４１Ｃ，４１Ｄ  電磁弁
４２Ａ，４２Ｂ  ブリッジ回路
【図１】
2009079863.tif 000003
【図２】
2009079863.tif 000004
【図３】
2009079863.tif 000005
【図４】
2009079863.tif 000006
【図５】
2009079863.tif 000007
【図６】
2009079863.tif 000008